【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
縦軸に沿って延長可能である細長部材を有し、
前記細長部材は、接合部における分割面に対して縦方向に第１遠位端領域及び第２遠位端領域に分割し、
前記第１遠位端領域は、第１チップで終了する領域であり、前記第２遠位端領域は、第２チップで終了する領域であり、
前記細長部材は、第１ルーメン及び第２ルーメンを囲み、前記第１ルーメンは第１近位ポート及び前記第１チップの間に延在し、前記第２ルーメンは第２近位ポート及び前記第２チップの間に延在し、
前記細長部材は、前記接合部の周囲に弾性部を備え、
前記弾性部は、前記接合部から遠位に延びる接合部部分において、前記第１遠位端領域及び前記第２遠位端領が前記分割面に沿って隙間なく分離されたときに、圧力がかからない形状となる、
血液透析カテーテル。
【請求項２】
前記接合部部分は、前記接合部から５ｍｍ、１０ｍｍ又は２０ｍｍ遠位に延在する前記カテーテルの部分である、
請求項１に記載の血液透析カテーテル。
【請求項３】
前記接合部部分に０．５ｍｍ以上の隙間又は割れ目が存在しない、
請求項１に記載の血液透析カテーテル。
【請求項４】
前記分割面は血液透析カテーテルの正中面である、
請求項１に記載の血液透析カテーテル。
【請求項５】
第１ルーメン壁及び第２ルーメン壁が互いに平行に延在するように接続される近位部分と、
前記カテーテルが弛緩した構成であるとき、記第１ルーメン壁及び前記第２ルーメン壁が互いに平行にならない遠位部分と、
を備え、
前記第１ルーメン壁は第１ルーメンを定義し、
前記第２ルーメン壁は第２ルーメンを定義し、
前記接合部部分において、前記第１ルーメン壁及び前記第２ルーメン壁が接触し、且つ、前記第１ルーメン壁及び前記第２ルーメン壁が互いに平行にならないように構成される、
請求項１に記載の血液透析カテーテル。
【請求項６】
前記接合部部分は、対向する平面ルーメン壁を備える部分を備え、
前記対向する平面ルーメン壁により定義される平面の交差により形成される二面角が１０度、５度又は１度未満である、
請求項５に記載の血液透析カテーテル。
【請求項７】
前記第１ルーメンは、第１縦ルーメン軸を有し、
前記第２ルーメンは、第２縦ルーメン軸を有し、
前記第１縦ルーメン軸は、前記第１ルーメンの中心に沿って延在し、
前記第２縦軸は、前記第２ルーメンの中心に沿って延在し、
前記カテーテルが弛緩した構成であるとき、前記第１縦ルーメン軸及び前記第２縦ルーメン軸は、前記カテーテルの近位部分上に平行となり且つ前記カテーテルの遠位部分上で分岐し、
前記第１縦ルーメン軸及び前記第２縦ルーメン軸は、横断面を定義し、前記横断面は、前記カテーテルの近位部分内の前記第１縦ルーメン軸及び前記第２縦ルーメン軸を含み、
前記第１縦軸ルーメン及び前記第２縦ルーメン軸はさらに、正中面を定義し、前記正中面は、前記カテーテルの近位部分内の前記第１縦ルーメン軸及び前記第２縦ルーメン軸の間に平行であり、
前記カテーテルが弛緩した構成であるとき、前記第１縦軸ルーメン及び前記第２縦ルーメン軸が分岐する前記カテーテルの遠位部分上において、前記第１縦ルーメン軸及び前記第２縦ルーメン軸の少なくとも１つが前記横断面から分岐する、
請求項１に記載の血液透析カテーテル。
【請求項８】
前記第１縦ルーメン軸及び前記第２縦ルーメン軸が互いに分岐する前記カテーテルの遠位部分上において、前記第１縦ルーメン軸及び前記第２縦ルーメン軸のそれぞれについて、前記正中面からの垂直距離が略同じとなる、
請求項７に記載の血液透析カテーテル。
【請求項９】
前記カテーテルが弛緩した構成であるとき、前記第１縦ルーメン軸及び前記第２縦ルーメン軸の少なくとも１つの前記縦軸が、前記分岐するルーメンの先端において、前記横断面から少なくとも１ｃｍ離れて分岐する、
請求項７に記載の血液透析カテーテル。
【請求項１０】
前記カテーテルが弛緩した構成であるとき、前記第１縦ルーメン軸及び前前記第２縦ルーメン軸が、前記分岐するルーメンのそれぞれの先端において、前記正中面から５ｍｍ未満離れて分岐する、
請求項７に記載の血液透析カテーテル。
【請求項１１】
前記縦軸に沿って前記第２遠位端領域とともに前記第１遠位端領域を整列させる取り外し可能な整列手段を有し、
前記整列手段を取り外す際に、前記第１遠位端領域及び前記第２遠位端領域は、はさみのような動きで、前記弾性部又は前記弾性部材が前記圧力がかからない形状となるまで前記分割面に沿って互いに自発的にスライドするように構成される、
請求項１に記載の血液透析カテーテル。
【請求項１２】
前記整列手段は、取り外し可能なカバーを含む、
請求項１１に記載の血液透析カテーテル。
【請求項１３】
隔壁が前記細長部材の非分割長さ方向に沿って前記第１ルーメン及び前記第２ルーメンを分割する、
請求項１に記載の血液透析カテーテル。
【請求項１４】
前記第１遠位端領域及び前記第２遠位端領域が整列しているときに、前記第２チップが前記第１チップと並列となる、
請求項１に記載の血液透析カテーテル。
【請求項１５】
前記第１遠位端領域及び前記第２端部領域は、前記縦軸に関して互いに回転対称となるように形成され、前記回転対称に従って分散し且つ前記回転対称に従った形状の複数の開口部を有する、
請求項１に記載の血液透析カテーテル。
【請求項１６】
前記第１遠位端領域及び前記第２遠位端領域のそれぞれは、少なくとも２つの開口部を有し、前記少なくとも２つの開口部は、前記開口部において異なる方向に流れが生じるように形成される、
請求項１に記載の血液透析カテーテル。
【請求項１７】
前記第１遠位端領域は、前記第１チップに隣接して配置される第１前方開口部を有し、
前記第２遠位端領域は、前記第２チップに隣接して配置される第２前方開口部を有し、
前記第１前方開口部は、前記第１前方開口部において第１方向を向く第１コースに流れが生じるように形成され、
前記第２前方開口部は、前記第２前方開口部において前記第１コースと交差しない第２コースに流れが生じるように形成される、
請求項１に記載の血液透析カテーテル。
【請求項１８】
前記第１コースは、前記分割面に平行な直交射影を有する、
請求項１７に記載の血液透析カテーテル。
【請求項１９】
前記第１コースは、同じデカルト座標系において、横断面と平行であり且つ前記分割面に直交する直交射影を有する、
請求項１７に記載の血液透析カテーテル。
【請求項２０】
前記第１コースは、同じデカルト座標系において、前頭面と平行であり且つ前記分割面に直交する直交射影を有する、
請求項１７に記載の血液透析カテーテル。
【請求項２１】
前記第１遠位端領域は、前記第１前方開口部の近位側に位置する第１横方向開口部を有し、
前記第２遠位端領域は、前記第２前方開口部の近位側に位置する第２横方向開口部を有する、
請求項１に記載の血液透析カテーテル。
【請求項２２】
前記第１ルーメン及び前記第２ルーメンは互いに独立しており、これにより逆方向の流れを同時に生じさせることを容易にする、
請求項１に記載の血液透析カテーテル。
【請求項２３】
請求項１に記載の血液透析カテーテルを形成する方法であって、
提供工程と、挿入工程と、処理工程と、除去工程と、を備え、
前記提供工程では、前記血液透析カテーテルの予め形成された部分を提供し、
前記血液透析カテーテルは、前記第１ルーメン及び前記第２ルーメンを覆うように構成され、
前記挿入工程では、前記第１遠位端領域が第１輪郭内に保持されるように、前記第１ルーメンに第１輪郭マンドレルを挿入し、且つ、前記第２遠位端領域が第２輪郭内に保持されるように、前記第２ルーメンに第２輪郭マンドレルを挿入し、
前記第１輪郭は、前記第１輪郭マンドレルによって規定されるものであり、
前記第２輪郭は、前記第２輪郭マンドレルによって規定れるものであり、
前記処理工程では、前記細長部材の内部応力を緩和するように前記細長部材を処理し、
前記除去工程では、前記第１ルーメンから前記第１輪郭マンドレルを除去し、且つ、前記第２ルーメンから前記第２輪郭マンドレルを除去する、
方法。
【請求項２４】
前記第１輪郭マンドレル及び前記第２輪郭マンドレルのそれぞれが、自身の長さ方向に沿って固定された角度を有する又は湾曲している、
請求項２３に記載の方法。
【請求項２５】
前記第１輪郭マンドレルは、角度又は曲率が前記第２輪郭マンドレルと合同又は幾何学的に類似する、
請求項２３に記載の方法。
【請求項２６】
前記第１輪郭内に保持される前記第１遠位端領域と、前記第２輪郭内に保持される前記第２遠位端領域とが、前記縦軸に対して互いに回転対称となるように形成される、
請求項２３に記載の方法。